(57)【要約】【課題】汎用性が高くて、製造コストを低減できる竪樋用継手を提供すること。【解決手段】排水管カバー６０が、竪樋の下側が内嵌される大径円筒部６５、大径円筒部６５の下側端部に繋がると共に下側に行くにしたがって大径になる外周面部７６を有する上側端部７７を含み、外周面部７６が、円錐外周面部７８を有するカバー部７５、上記下側端部から下側に行くにしたがって小径になる連結環状部８０を介して下側に延在し、カバー部７５よりも径方向内側に配置される小径円筒部７０、及び上記下側端部と上側端部７７の接続箇所８６よりも上側に位置する部分を含んで軸方向の同じ箇所に設けられると共に、内周面から径方向の内側に突出する環状のリブ８５を備える。排水管カバー６０の適切な箇所を径方向に切断することで、径方向内側に突出すると共にリブ８５の少なくとも一部で構成される１以上の係止部を下側端部の内周側に有する筒状部材を形成する。【選択図】図６
2019199691.tif 000002
【特許請求の範囲】
【請求項１】
竪樋の下側が内嵌される上側筒状部と、
前記上側筒状部の下側端部に繋がると共に下側に行くにしたがって大径になる外周面部を有する上側端部を含み、前記外周面部が、円錐外周面部又は外側に凸の湾曲外周面を有するカバー部と、
前記下側端部に直接又は下側に行くにしたがって小径になる連結環状部を介して繋がって前記下側端部又は前記連結環状部から下側に延在すると共に、前記カバー部よりも径方向の内側に配置される下側筒状部と、
前記下側端部と前記上側端部の接続箇所よりも上側に位置する部分を含んで軸方向の同じ箇所に設けられると共に、内周面から前記径方向の内側に突出する１以上のリブと、
を備え、
前記リブの上端よりも下側であって前記接続箇所の下端よりも上側の箇所を前記軸方向に略垂直に切断すると、前記径方向の内側に突出すると共に前記リブの少なくとも一部で構成される１以上の係止部を下側端部の内周側に有する筒状部材が形成される、竪樋用継手。
【請求項２】
底位置が前記リブの上端よりも下側であって前記接続箇所の下端よりも上側に存在すると共に、前記軸方向の同じ箇所に設けられる１以上の切欠を外周面に有する、請求項１に記載の竪樋用継手。
【請求項３】
請求項１に記載の竪樋用継手における前記リブの上端よりも下側であって前記接続箇所の下端よりも上側の箇所を前記軸方向に略垂直に切断することにより形成され、前記１以上の係止部を有する前記筒状部材と、
大径外周面を有する大径筒部、前記大径外周面よりも外径が小さい小径外周面を有する小径筒部、及び前記大径筒部の下側端部と前記小径筒部の上側端部を連結する環状連結部を含む継手部材と、を備え、
前記大径筒部の全てが、前記筒状部材の内部に配置され、
前記軸方向から見たとき、前記１以上の係止部が、前記環状連結部に重なる一方、前記小径筒部に重ならない、竪樋用継手。
【発明の詳細な説明】
【技術分野】
【０００１】
本開示は、竪樋用継手に関する。
【背景技術】
【０００２】
従来、竪樋用継手としては、特許文献１に記載されている竪樋伸縮継手がある。また、他の竪樋用継手としては、特許文献２に記載されている排水管カバーがある。竪樋伸縮継手は、竪樋を別の竪樋に伸縮可能に接続するため用いられ、排水管カバーは、竪樋を地中に埋設された排水管と伸縮可能に接続するために用いられる。竪樋伸縮継手及び排水管カバーは、竪樋を伸縮可能に内嵌する筒状部を共に有する。また、排水管カバーは、下側に行くにしたがって末広がりに径方向に広がる環状の被覆部を下側に有する。この被覆部は、竪樋の下端部や排水管を石跳ねなどの衝撃から保護する。
【先行技術文献】
【特許文献】
【０００３】
【特許文献１】特開２００４−１８３３９５号公報
【特許文献２】特開平８−１１４０１２号公報
【発明の概要】
【発明が解決しようとする課題】
【０００４】
排水管カバーが被覆部を有するため、竪樋伸縮継手及び排水管カバーは形状が互いに異なる。したがって、竪樋伸縮継手及び排水管カバーは、別生産の射出成形品となり、金型投資費用が２倍になり、製造コストが高くつく。また、排水管カバーは、排水管にしか接続できず汎用性も低い。
【０００５】
そこで、本開示の目的は、汎用性が高くて、製造コストを低減できる竪樋用継手を提供することにある。
【課題を解決するための手段】
【０００６】
上記課題を解決するため、本開示に係る竪樋用継手は、竪樋の下側が内嵌される上側筒状部と、上側筒状部の下側端部に繋がると共に下側に行くにしたがって大径になる外周面部を有する上側端部を含み、外周面部が、円錐外周面部又は外側に凸の湾曲外周面を有するカバー部と、下側端部に直接又は下側に行くにしたがって小径になる連結環状部を介して繋がって下側端部又は連結環状部から下側に延在すると共に、カバー部よりも径方向の内側に配置される下側筒状部と、下側端部と上側端部の接続箇所よりも上側に位置する部分を含んで軸方向の同じ箇所に設けられると共に、内周面から径方向の内側に突出する１以上のリブと、を備え、リブの上端よりも下側であって接続箇所の下端よりも上側の箇所を軸方向に略垂直に切断すると、径方向の内側に突出すると共にリブの少なくとも一部で構成される１以上の係止部を下側端部の内周側に有する筒状部材が形成される。なお、上記上側及び下側は、竪樋用継手又は筒状部材が適切に配置されている状態で表現されている。
【発明の効果】
【０００７】
本開示に係る竪樋用継手によれば、汎用性が高く、製造コストも低減できる。
【図面の簡単な説明】
【０００８】
【図１】本開示の竪樋用継手の一実施形態である竪樋伸縮継手と、本開示の竪樋用継手の他実施形態である排水管カバーが使用されている状態を示す建物の一部分の模式図であり、その一部が断面で示されている模式図である。
【図２】上記竪樋伸縮継手の斜視図である。
【図３】上記排水管カバーの斜視図である。
【図４】上記竪樋伸縮継手における竪樋の熱収縮を吸収可能な竪樋の接続構造について説明する模式断面図である。
【図５】図４にＲ１で示す大径筒部の上端縁部の一部の拡大模式断面図である。
【図６】上記排水管カバーの模式断面図である。
【図７】上記竪樋伸縮継手が備える筒状部材と継手部材を示す図である。
【図８】上記竪樋伸縮継手の模式断面図である。
【図９】図８において図７の領域Ｒ３に対応する領域Ｒ４の拡大断面図である。
【図１０】（ａ）は、竪樋用継手のカット部品を示す正面図であり、（ｂ）は、一般的な竪樋間嵌合部品を示す正面図である。
【図１１】竪樋間嵌合部品が嵌合できない状態を表す模式図である。
【図１２】変形例の排水管カバーの正面図である。
【図１３】図１２にＲ５で示す大径円筒部とカバー部の接続箇所の一部を示す拡大正面図である。
【図１４】排水カバーが切欠を有さない場合の問題点について説明する図であり、（ａ）は、上記排水管カバーの正面図であり、（ｂ）は、上記排水管カバーの断面図である。
【図１５】変形例の排水管カバーの一部の拡大模式断面図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さの寸法比は、必ずしも一致しない。また、以下の説明で、竪樋伸縮継手２０又は排水管カバー６０に関して、鉛直方向に関連する文言が用いられた場合、その文言は、竪樋伸縮継手２０又は排水管カバー６０が、使用されている状態において表現されている。
【００１０】
図１は、本開示の竪樋用継手の一実施形態である竪樋伸縮継手２０と、本開示の竪樋用継手の他実施形態である排水管カバー６０が使用されている状態を示す建物１の一部分の模式図であり、その一部が断面で示されている模式図である。図１に示す実施例では、建物１は、建物本体２、第１竪樋３、第２竪樋４、排水管５、竪樋伸縮継手２０、排水管カバー６０、及び複数の控金具６を備え、建物本体２は、垂直に延在する側壁部７を含む。第１及び第２竪樋３,４は、円筒形状を有して鉛直方向に延在し、鉛直方向に間隔をおいて配置される。第１及び第２竪樋３,４の夫々は、固定部を有し、その固定部は、控金具６で建物本体２に固定される。詳しくは、控金具６は、円筒内周面を有する輪状の係止部８と、先端部が尖ったキリ状の打込部９を含み、打込部９は、係止部８に取り付けられ、係止部８から径方向に延在する。第１及び第２竪樋３,４の各固定部を係止部８の円筒内周面の内側に圧入等により内嵌して固定した状態で、打込部９を側壁部７に打ち込むことで、第１及び第２竪樋３,４が、建物本体２に固定される。
【００１１】
第１竪樋３の下端部は、竪樋伸縮継手２０を介して第２竪樋４の上端部に連結され、第２竪樋４の下端部は、排水管カバー６０を介して排水管５の上端部に連結される。図２は、竪樋伸縮継手２０の斜視図であり、図３は、排水管カバー６０の斜視図である。図２に示すように、竪樋伸縮継手２０は、大径円筒部２５と、小径円筒部３０を含み、図３に示すように、排水管カバー６０は、大径円筒部６５と、小径円筒部７０を含む。第１竪樋３の下端部は、大径円筒部２５の円筒内周面に隙間嵌めにより内嵌され、第２竪樋４の上端部は、小径円筒部３０の円筒外周面に圧入により外嵌される。また、第２竪樋４の下端部は、大径円筒部６５の円筒内周面に隙間嵌めにより内嵌され、排水管５の上端部は、小径円筒部７０の円筒外周面に圧入により外嵌される。
【００１２】
図４は、竪樋伸縮継手２０における第１竪樋３の熱収縮を吸収可能な第１竪樋３の接続構造について説明する模式断面図であり、図５は、図４にＲ１で示す、大径円筒部２５の上端縁部の一部領域の拡大模式断面図である。図４に示すように、第１竪樋３の下端部の円筒外周面は、大径円筒部２５の円筒内周面２７の内側に隙間嵌めにより内嵌される。したがって、図５に示すように、第１竪樋３の下端部の円筒外周面１１と、大径円筒部２５の円筒内周面２７との間には、径方向の隙間が生成される。よって、第１竪樋３が、鉛直方向に伸縮可能になり、径方向に膨張可能になり、その結果、竪樋伸縮継手２０が、第１竪樋３の鉛直方向の伸縮を吸収可能に第１竪樋３に接続される。排水管カバー６０は、この機構と同様な機構で、第２竪樋４の鉛直方向の伸縮を吸収可能に第２竪樋４に接続される。排水管カバー６０において第２竪樋４の伸縮可能な接続を可能にする大径円筒部６５は、竪樋伸縮継手２０の大径円筒部２５と同一の形状及び大きさを有する。
【００１３】
次に、図６を用いて排水管カバー６０の詳細な構造について説明し、図６〜図９を用いて、竪樋伸縮継手２０の詳細な構造について説明する。図６は、排水管カバー６０の模式断面図である。図６に示すように、排水管カバー６０は、上述の大径円筒部６５と、上述の小径円筒部７０に加えて、カバー部７５と、連結環状部８０を備える。大径円筒部６５は、上側筒状部を構成し、第１竪樋３の下側が内嵌される円筒内周面６７を有する。また、カバー部７５は、大径円筒部６５の下側端部に繋がると共に下側に行くにしたがって大径になる環状体７９で構成され、その上側端部７７は、下側に行くにしたがって大径になる外周面部７６を有し、外周面部７６は、円錐外周面部７８を含む。
【００１４】
連結環状部８０は、大径円筒部６５の下側端部に繋がると共に下側に行くにしたがって小径になる環状体８１で構成される。また、小径円筒部７０は、大径円筒部６５よりも下側でカバー部７５よりも径方向の内側に配置される。小径円筒部７０は、下側筒状部を構成し、その上端部が、連結環状部８０の下側端部に繋がる。小径円筒部７０は、連結環状部８０の下端から鉛直方向下側に延在し、排水管５（図１参照）の円筒内周面に圧入により内嵌されて固定される。この圧入は、カバー部７５の下側端面が地面に接触するまで実行され、これにより、第２竪樋４の下端部や排水管５が、カバー部７５による被覆によって石跳ねなどの衝撃から保護される。
【００１５】
排水管カバー６０は、更に、環状のリブ８５を有する。リブ８５は、大径円筒部６５の下側端部とカバー部７５の上側端部の接続箇所８６よりも上側に位置する部分を含んで、軸方向の同じ箇所に設けられ、排水管カバー６０の内周面から径方向の内側に突出する。
【００１６】
次に、竪樋伸縮継手２０の構造について説明する。竪樋伸縮継手２０は、図７に模式断面図が示される筒状部材４０と、図７に側面図が示される継手部材４５を備える。図６を参照して、筒状部材４０は、排水管カバー６０におけるリブ８５の上端よりも下側であって接続箇所８６の下端よりも上側の箇所を径方向に切断することで形成され、好ましくは、接続箇所８６の上端８８を径方向に切断することにより形成される。
【００１７】
図７にＲ３で示す領域は、図６にＲ２で示す領域に対応する領域であり、図６の接続箇所８６の周辺領域の一部に対応する領域である。図６を参照して、竪樋伸縮継手２０を形成する際には、排水管カバー６０におけるリブ８５の上端よりも下側であって接続箇所８６の下端よりも上側の箇所を軸方向に略垂直な平面（略径方向に広がる平面）で切断する。その結果、図７の領域Ｒ３に示すように、筒状部材４０は、リブ８５の少なくとも一部で構成される環状の係止部４１を下側端部の内周側に有し、係止部４１は、径方向の内側に突出する。
【００１８】
一方、図７に示すように、継手部材４５は、大径筒部４６、小径筒部４７、及び環状連結部４８を有する。大径筒部４６は、大径外周面５０を含み、小径筒部４７は、大径外周面５０よりも外径が小さい小径外周面５１を含む。また、環状連結部４８は、大径筒部４６の下側端部と小径筒部４７の上側端部を連結する。
【００１９】
図８は、竪樋伸縮継手２０の模式断面図である。竪樋伸縮継手２０は、例えば次の手順で形成される。詳しくは、環状連結部（図７参照）４８の外周面と係止部４１（図７参照）の上面に接着剤を塗布する。その後、図７を参照して、継手部材４５を、小径筒部４７から筒状部材４０の係止部４１側とは反対側の開口に矢印Ａで示す方向に挿入する。この挿入は、図９、すなわち、図８における図７の領域Ｒ３に対応する領域Ｒ４の拡大断面図に示すように、環状連結部４８の外周面が係止部４１の上面に接触するまで実行される。この挿入によって、継手部材４５が筒状部材４０に接着剤で固定され、竪樋伸縮継手２０が構成される。
【００２０】
図８を参照して、大径筒部４６、小径筒部４７、及び環状の係止部４１は、略同一の直線上に中心軸を有する。また、小径筒部４７の外径は、係止部４１の内径よりも小さい一方、大径筒部４６の内径は、係止部４１の内径よりも大きい。その結果、竪樋伸縮継手２０が構成された状態で、大径筒部４６の全てが、筒状部材４０の内部に配置され、軸方向から見たとき、係止部４１が、環状連結部４８に重なる一方、小径筒部４７に重ならない。
【００２１】
以上、竪樋用継手（排水管カバー６０）は、第１竪樋３の下側が内嵌される大径円筒部（上側筒状部）６５を備える。また、排水管カバー６０は、大径円筒部６５の下側端部に繋がると共に下側に行くにしたがって大径になる外周面部７６を有する上側端部７７を含み、外周面部７６が、円錐外周面部７８を有するカバー部７５を備える。また、排水管カバー６０は、上記下側端部に下側に行くにしたがって小径になる連結環状部８０を介して繋がって連結環状部８０から下側に延在すると共に、カバー部７５よりも径方向の内側に配置される小径円筒部（下側筒状部）７０を備える。また、排水管カバー６０は、上記下側端部と上側端部７７の接続箇所８６よりも上側に位置する部分を含んで軸方向の同じ箇所に設けられると共に、内周面から径方向の内側に突出する環状のリブ８５を備える。また、リブ８５の上端よりも下側であって接続箇所８６の下端よりも上側の箇所を軸方向に略垂直に切断すると、径方向の内側に突出すると共にリブ８５の少なくとも一部で構成される１以上の係止部４１を下側端部の内周側に有する筒状部材４０が形成される。
【００２２】
したがって、竪樋用継手としての排水管カバー６０が、大径円筒部６５の下側端部に繋がると共に下側に行くにしたがって大径になる上側端部７７を含むカバー部７５を備える。よって、このカバー部７５を、第２竪樋４の下端部や排水管５を石跳ねなどの衝撃から保護する被覆部として使用できる。その結果、この竪樋用継手を、第２竪樋４と排水管を接続するのに用いることができる。更には、排水管カバー６０におけるリブ８５の上端よりも下側であって接続箇所８６の下端よりも上側の箇所を軸方向に略垂直に切断すると、下側端部の内周側に環状の係止部４１を有する筒状部材４０を形成できる。したがって、上述のように、継手部材４５の環状連結部４８を係止部４１の上面に接着することで、２つの竪樋３,４を接続する竪樋伸縮継手２０を容易に形成できる。よって、排水管カバー６０を、第２竪樋４と排水管５を接続する排水カバーとして用いることができるだけでなく、２つの竪樋３,４を接続する竪樋伸縮継手２０に転用でき、排水管カバー６０の汎用性を高くできる。また、継手部材４５として、汎用品である一般的な竪樋間嵌合部品を採用することで、排水管カバー６０のみを金型で成形すればよくなり、金型投資を低減できる。よって、排水管カバー６０及び竪樋伸縮継手２０の製造コストを低減できる。
【００２３】
また、竪樋用継手としての排水管カバーが、リブ８５を有さない場合において、竪樋伸縮継手を、図１０（ａ）に示すその排水管カバーのカット部品３４０と、図１０（ｂ）に示す一般的な竪樋間嵌合部品３４５で形成したとする。この場合、寸法ばらつきにより、２つの部品の嵌合が甘くなる可能性がある。そして、それに起因して、竪樋間嵌合部品の外れが発生すると、水漏れが発生する。更には、寸法ばらつきが大きい場合、図１１に示すように、竪樋間嵌合部３４５をカット部品３４０に嵌合できなくなる。これに対し、本開示の竪樋用継手は、リブ８５を有するので、排水管カバー６０を高精度に寸法管理しなくても、カット部品である筒状部材４０を、竪樋間嵌合部品である継手部材４５に確実に嵌合できる。よって、加工精度を高くする必要がないため、竪樋伸縮継手２０を簡単安価に形成できる。
【００２４】
更には、排水管カバー６０は、カバー部７５において大径円筒部６５の下側端部に繋がる上側端部７７が、外周面部７６を有し、外周面部７６が、下側に行くにしたがって末広がりとなる円錐外周面部７８を含む。したがって、外周面部が下側に行くにしたがって末広がりとなると共に内側に凸の湾曲外周面（凹面）を有する場合との比較で、カバー部７５の上端が分かり易くなり、大径円筒部６５とカバー部７５との接続箇所８６を容易に特定できる。よって、竪樋伸縮継手２０を形成する際のカット面を容易かつ正確に特定できる。
【００２５】
また、本開示の他の竪樋用継手としての竪樋伸縮継手２０は、排水管カバー６０におけるリブ８５の上端よりも下側であって接続箇所８６の下端よりも上側の箇所を軸方向に略垂直に切断することにより形成され、係止部４１を有する筒状部材４０を備える。また、その竪樋伸縮継手２０は、大径外周面５０を有する大径筒部４６、大径外周面５０よりも外径が小さい小径外周面５１を有する小径筒部４７、及び大径筒部４６の下側端部と小径筒部４７の上側端部を連結する環状連結部４８を含む継手部材４５を備える。また、大径筒部４６の全てが、筒状部材４０の内部に配置される。また、軸方向から見たとき、係止部４１が、環状連結部４８に重なる一方、小径筒部４７に重ならない。
【００２６】
したがって、竪樋伸縮継手２０を、排水管カバー６０を切断した筒状部材４０で構成でき、排水管カバー６０を転用して形成できる。よって、排水管カバー６０の汎用性を向上できる。また、筒状部材４０に嵌合させる継手部材４５として、汎用品である一般的な竪樋間嵌合部品を採用することで、排水管カバー６０のみを金型で成形すればよくなり、金型投資を低減できる。その結果、排水管カバー６０及び竪樋伸縮継手２０の製造コストを低減できる。
【００２７】
なお、本開示は、上記実施形態およびその変形例に限定されるものではなく、本願の特許請求の範囲に記載された事項およびその均等な範囲において種々の改良や変更が可能である。
【００２８】
図１２は、変形例の排水管カバー１６０の正面図であり、図１３は、図１２にＲ４に示す大径円筒部１６５とカバー部１７５の接続箇所の一部を示す拡大正面図である。上記実施形態では、排水管カバー６０が、その外周面における大径円筒部６５とカバー部７５の接続箇所周辺に切欠を有さない場合について説明した。しかし、図１３に示すように、排水管カバー１６０が、底位置がリブ（図示せず）の上端よりも下側であって大径円筒部１６５とカバー部１７５の接続箇所の下端よりも上側に存在する１以上の切欠１９０を外周面に有してもよい。そして、その１以上の切欠１９０は、軸方向の同じ箇所に設けられてもよい。また、特に、１以上の切欠１９０は、１つの環状の切欠であると好ましい。
【００２９】
リブは、内面にあるため、図１４（ａ）に示すように、切断位置は、外側から特定しにくい。そして、図１４（ｂ）に示すように、切断を、リブ８５の上端よりも上側の誤った切断位置で実行すると、切断後の筒状部材に係止部が存在せず、継手部材を筒状部材に嵌合できなくなる。また、リブ８５の上端よりも下側で切断を行ったものの、最適でない箇所で切断を行った場合、係止部は存在するものの、加工精度が低くなる。
【００３０】
これに対し、本変形例によれば、１以上の切欠１９０を切断位置の目印とできる。したがって、切断を正確な位置で実行でき、寸法精度を高精度とできる。更には、切断具の刃１９５を切欠１９０で切断位置に導くことができ、切断位置に案内できる。よって、切断をこの理由からも正確な位置で実行でき、切断を容易に遂行でき、加工容易性も優れたものにできる。
【００３１】
また、上記実施形態では、図６に示すように、リブ８５が、下側に行くにしたがって内径が大きくなる部分を有さなかった。しかし、図１５、すなわち、変形例の排水管カバー２６０の一部の拡大模式断面図に示すように、リブ２８５は、径方向内方に突出する突起であってもよい。そして、リブ２８５が、下側に行くにしたがって内径が小さくなる部分２８５ａと、下側に行くにしたがって内径が大きくなる部分２８５ｂを含んでもよい。この変形例によれば、リブ２８５の下側を切断することで、切断部の厚さを小さくできる。よって、切断を容易に実行できる。
【００３２】
また、カバー部７５が、上側筒状部を構成する大径円筒部６５の下側端部に繋がると共に下側に行くにしたがって大径になる外周面部７６を有する上側端部７７を含み、外周面部７６が、円錐外周面部７８を有する場合について説明した。しかし、カバー部が、上側筒状部の下側端部に繋がると共に下側に行くにしたがって大径になる外周面部を有する上側端部を含み、外周面部が、円錐外周面部の代わりに外側に凸の湾曲外周面を有してもよい。この変形例によれば、外周面部が円錐外周面部を含む場合と同様に、外周面部が下側に行くにしたがって末広がりとなると共に内側に凸の湾曲外周面（凹面）を有する場合との比較で、カバー部の上端が分かり易くなる。よって、排水管カバーが切欠を有さない場合でも、大径円筒部とカバー部との接続箇所を容易に特定できる。
【００３３】
また、排水管カバー６０が、１つの環状のリブ８５を有すると共に、筒状部材４０が、１つの環状の係止部４１を有する場合について説明した。しかし、竪樋用継手の一実施形態である排水管カバーは、上側筒状部の下側端部とカバー部の上側端部の接続箇所よりも上側に位置する部分を含んで軸方向の同じ箇所に設けられると共に、内周面から径方向の内側に突出する複数の非環状のリブを有してもよい。また、排水管カバーを切断することで形成される筒状部材は、内周面から径方向の内側に突出する複数の非環状の係止部を有してもよい。
【００３４】
また、排水管カバー６０の小径円筒部（下側筒状部）７０が、大径円筒部（上側筒状部）６５の下側端部に下側に行くにしたがって小径になる連結環状部８０を介して繋がる場合について説明した。しかし、排水管カバーの下側筒状部は、上側筒状部の下側端部に直接繋がってもよい。
【符号の説明】
【００３５】
３,４  竪樋、  ２０  竪樋伸縮継手（竪樋用継手）、  ４０  筒状部材、  ４１  係止部、  ４５  継手部材、  ４６  大径筒部、  ４７  小径筒部、  ４８  環状連結部、  ５０  大径外周面、  ５１  小径外周面、  ６０,１６０,２６０  排水管カバー（竪樋用継手）、  ６５,１６５  大径円筒部（上側筒状部）、  ７０  小径円筒部（下側筒状部）、  ７５,１７５  カバー部、  ７６  外周面部、  ７７  上側端部、  ７８  円錐外周面部、  ８０  連結環状部、  ８５,２８５  リブ、  ８６  接続箇所、  １９０  切欠。
【図１】
2019199691.tif 000003
【図２】
2019199691.tif 000004
【図３】
2019199691.tif 000005
【図４】
2019199691.tif 000006
【図５】
2019199691.tif 000007
【図６】
2019199691.tif 000008
【図７】
2019199691.tif 000009
【図８】
2019199691.tif 000010
【図９】
2019199691.tif 000011
【図１０】
2019199691.tif 000012
【図１１】
2019199691.tif 000013
【図１２】
2019199691.tif 000014
【図１３】
2019199691.tif 000015
【図１４】
2019199691.tif 000016
【図１５】
2019199691.tif 000017